【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
前方（拡大共役側）より後方（縮小共役側）へ順に、負の屈折力を有する第１レンズ群、正の屈折力を有する第２レンズ群、正の屈折力を有する第３レンズ群、正の屈折力を有する第４レンズ群から構成され、ズーミングに際して、複数のレンズ群は、相互間隔を変化させながら移動しており、広角端から望遠端のズーム位置へのズーミング時、前記移動する複数のレンズ群は前方（拡大共役側）から後方（縮小共役側）への結像に関して全て増倍作用をしていることを特徴とするズームレンズ。
【請求項２】
前方より後方へ順に、負の屈折力を有する第１レンズ群、正の屈折力を有する第２レンズ群、正の屈折力を有する第３レンズ群、正の屈折力を有する第４レンズ群から構成され、ズーミングに際して、少なくとも２つのレンズ群は、相互間隔を変化させながら移動しており、広角端のズーム位置において、該第２レンズ群と第３レンズ群の横倍率をそれぞれβ2W,β3Wとするとき、
１＜β２Ｗ＜３
−１．３＜β３Ｗ＜−０．８
を満足することを特徴とするズームレンズ。
【請求項３】
前方より後方へ順に、負の屈折力を有する第１レンズ群、正の屈折力を有する第２レンズ群、正の屈折力を有する第３レンズ群、正の屈折力を有する第４レンズ群から構成され、ズーミングに際して、少なくとも２つのレンズ群は、相互間隔を変化させながら移動しており、該第２レンズ群を光軸上移動させてフォーカス調整を行うことを特徴とするズームレンズ。
【請求項４】
前記第１レンズ群、および第４レンズ群は後方の共役面に対して固定されていることを特徴とする請求項１、２又は３のズームレンズ。
【請求項５】
広角端のズーム位置から望遠端のズーム位置へのズーミングに際して、前記第２レンズ群は、前方側から後方側へ移動し、第３レンズ群は、後方側から前方側にそれぞれ移動することを特徴とする請求項１から４のいずれか１項のズームレンズ。
【請求項６】
前記第３レンズ群は、少なくとも２枚の正レンズと、１枚以上の負レンズより構成されることを特徴とする請求項１から５のいずれか１項のズームレンズ。
【請求項７】
開口絞りを有し、該開口絞りから後方に配置されているレンズ群の焦点距離をｆｒ、該開口絞りから後方に配置されているレンズ群の前方側の主点位置までの距離をＬとするとき、
０．７５＜Ｌ／ｆｒ＜１．１
を満足することを特徴とする請求項１から６のいずれか１項のズームレンズ。
【請求項８】
開口絞りを有し、該開口絞りを挟んで前方側および後方側のレンズ群はそれぞれ非球面形状の面を有していることを特徴とする請求項１から７のいずれか１項のズームレンズ。
【請求項９】
開口絞りを有し、該開口絞りを挟んで前方側の少なくとも１つの負レンズと、後方側の少なくとも１つの正レンズは、非球面形状の面を有していることを特徴とする請求項１から８のいずれか１項のズームレンズ。
【請求項１０】
開口絞りを有し、該開口絞りを挟んで、前方側のレンズ群の、少なくとも１つの凹面は、光軸から周辺部にいくに従って負の屈折力が弱くなる非球面形状であり、後方側のレンズ群の少なくとも１つの凸面は、光軸から周辺部にいくに従って正の屈折力が弱くなる非球面形状であることを特徴とする請求項１から９のいずれか１項のズームレンズ。
【請求項１１】
材料のアッベ数が８０以上の硝子を少なくとも１枚有していることを特徴とする請求項１から１０のいずれか１項のズームレンズ。
【請求項１２】
前記第２レンズ群は１枚の正レンズで構成されることを特徴とする請求項１から１１のいずれか１項のズームレンズ。
【請求項１３】
前記第４レンズ群は、１枚の正レンズで構成されることを特徴とする請求項１から１２のいずれか１項のズームレンズ。
【請求項１４】
前記第１レンズ群又は第２レンズ群を光軸上移動させてフォーカス調整することを特徴とする請求項１又は２のズームレンズ。
【請求項１５】
前記第２レンズ群の広角端と望遠端における横倍率を各々β２Ｗ、β２Ｔとするとき、
０．８８＜β２Ｔ／β２Ｗ＜１．２０
を満足することを特徴とする請求項１から１４のいずれか１項のズームレンズ。
【請求項１６】
前記第４レンズ群は、１枚の正レンズより成り、該正レンズの材料のアッベ数をνｄ、部分分数比をθｇ・Ｆ，ｄ線、Ｆ線、Ｃ線に対する屈折率をｎｄ，ｎｆ，ｎｃとし、
【数１】
2006065026.tif 000001
とおいたとき、
０＜θｇ・Ｆ−（０．６４３８−０．００１６８２νｄ）
を満足することを特徴とする請求項１から１５のいずれか１項のズームレンズ。
【請求項１７】
請求項１から１６のいずれか１項のズームレンズと、原画を形成する表示ユニットとを有し、前記表示ユニットによって形成された原画を前記ズームレンズによってスクリーンに投射することを特徴とする投写装置。
【手続補正２】
【補正対象書類名】明細書
【補正対象項目名】００１３
【補正方法】変更
【補正の内容】
【００１３】
本発明のズームレンズは、
◎前方より後方へ順に、負の屈折力を有する第１レンズ群、正の屈折力を有する第２レンズ群、正の屈折力を有する第３レンズ群、正の屈折力を有する第４レンズ群から構成され、ズーミングに際して、少なくとも２つのレンズ群は、相互間隔を変化させながら移動しており、広角端から望遠端のズーム位置へのズーミング時、前記移動するレンズ群は前方から後方への結像に関して全て増倍作用をしていることを特徴としている。
【手続補正３】
【補正対象書類名】明細書
【補正対象項目名】００１４
【補正方法】変更
【補正の内容】
【００１４】
◎前方より後方へ順に、負の屈折力を有する第１レンズ群、正の屈折力を有する第２レンズ群、正の屈折力を有する第３レンズ群、正の屈折力を有する第４レンズ群から構成され、ズーミングに際して、少なくとも２つのレンズ群は、相互間隔を変化させながら移動しており、広角端のズーム位置において、該第２レンズ群と第３レンズ群の横倍率をそれぞれβ2W,β3Wとするとき、
１＜β２Ｗ＜３
−１．３＜β３Ｗ＜−０．８
を満足することを特徴としている。
◎前方より後方へ順に、負の屈折力を有する第１レンズ群、正の屈折力を有する第２レンズ群、正の屈折力を有する第３レンズ群、正の屈折力を有する第４レンズ群から構成され、ズーミングに際して、少なくとも２つのレンズ群は、相互間隔を変化させながら移動しており、該第２レンズ群を光軸上移動させてフォーカス調整を行うことを特徴としている。
【手続補正４】
【補正対象書類名】明細書
【補正対象項目名】００１７
【補正方法】変更
【補正の内容】
【００１７】
図２（Ａ）、（Ｂ）は本発明の実施例１に対応する後述する数値実施例１の数値をｍｍ単位で表わした時の物体距離（第１レンズ群からの距離）１．８ｍのときの広角端（短焦点距離側）と望遠端（長焦点距離側）における収差図である。
【手続補正５】
【補正対象書類名】明細書
【補正対象項目名】００３２
【補正方法】変更
【補正の内容】
【００３２】
尚、第１レンズ群Ｌ１、第４レンズ群Ｌ４はズーミングのためには移動しない。
【手続補正６】
【補正対象書類名】明細書
【補正対象項目名】００４０
【補正方法】変更
【補正の内容】
【００４０】
ズーミングに際して２つのレンズ群Ｌ２、Ｌ３は、相互間隔を変化させながら独立に移動しており、広角端から望遠端のズーム位置へのズーミング時、移動するレンズ群Ｌ２、Ｌ３は全て増倍作用をしている。
【手続補正７】
【補正対象書類名】明細書
【補正対象項目名】００５５
【補正方法】変更
【補正の内容】
【００５５】
広角端のズーム位置において、該第２レンズ群と第３レンズ群の横倍率をそれぞれβ２Ｗ、β３Ｗ、開口絞りを有し、開口絞りから後方に配置されているレンズ群の焦点距離をｆｒ，該開口絞りから後方に配置されているレンズ群の前方側の主点位置までの距離をＬ、第２レンズ群Ｌ２の広角端と望遠端における横倍率を各々β２Ｗ、β２Ｔとするとき、
１＜β２Ｗ＜３・・・・（１）
−１．３＜β３Ｗ＜−０．８・・・・（２）
０．７５＜Ｌ／ｆｒ＜１．１・・・・（３）
０．８８＜β２Ｔ／β２Ｗ＜１．２０・・・・（４）
なる条件を満足している。
【手続補正８】
【補正対象書類名】明細書
【補正対象項目名】００９７
【補正方法】変更
【補正の内容】
【００９７】
同図は前述したズームレンズを３板式のカラー液晶プロジェクターに適用し複数の液晶表示素子（表示ユニット）に基づく複数の色光の画像情報を色合成手段を介して合成し、投射レンズでスクリーン面上に拡大投射する画像投射装置を示している。図１１においてカラー液晶プロジェクター１はＲ、Ｇ、Ｂの３枚の液晶パネル５Ｂ、５Ｇ、５ＧからのＲＧＢの各色光を色合成手段としてのプリズム２で１つの光路に合成し、前述したズームレンズより成る投影レンズ３を用いてスクリーン４に投影している。